(57)【特許請求の範囲】
【請求項１】
走行機体の前部に昇降用アクチュエータにて昇降調節可能に装着された刈取前処理装置と、この刈取前処理装置から前記走行機体にわたる横一側部に設けられたサイドデバイダとを備え、前記走行機体の左前端部に立設した支軸を中心にして刈取前処理装置を水平回動可能に支持しているコンバインにおいて、
前記サイドデバイダは、伸縮可能な前分草杆と、後ろ分草杆と、前記走行機体の横一側部に基端部を水平回動可能に枢着した中間リンク杆とを備えた構造であって、
前記走行機体の左前部に支持アームを外向きに突出させて固着し、前記支持アームの先端部に前記中間リンク杆の基端部を基端部用枢軸ピンにて回動可能に枢着し、前記中間リンク杆の先端部を、先端部用枢軸ピンにて枢着部材に回動可能に枢着する一方、前記後ろ分草杆の前端部と前分草杆の後端部とを、分草杆用枢軸ピンにて前記枢着部材に回動可能に枢着したことを特徴とするコンバイン。
【発明の詳細な説明】
【技術分野】
【０００１】
本願発明は、走行機体の前部に昇降用アクチュエータにて昇降調節可能に装着された刈取前処理装置と、この刈取前処理装置から前記走行機体にわたる横一側部に設けられたサイドデバイダとを備えているコンバインに関するものである。
【背景技術】
【０００２】
従来から、コンバインは、走行機体の前部に昇降用アクチュエータにて昇降調節可能に装着された刈取前処理装置と、この刈取前処理装置から走行機体にわたる横一側部に設けられたサイドデバイダとを備えている。
【０００３】
サイドデバイダは、刈取作業の際に、前進する走行機体がその横一側方にある未刈穀稈を巻き込んだり走行クローラにて踏み付けたりしないように、未刈穀稈を横方向外向き（走行機体の横一側部から離れる方向）に押しやるためのものである。例えば特許文献１には、この種のサイドデバイダの一例が開示されている。
【０００４】
特許文献１に記載のサイドデバイダは、枢着部を介して屈曲可能に連結された前後一対の分草杆と、枢着部と走行機体とをつなぐ横長の接続杆とを有している。接続杆は摺動駆動手段にて長手方向（走行機体の横方向）にスライド可能に構成されている。この接続杆が左右スライド移動することによって、前後両分草杆は、横方向外向きに張り出した作業姿勢と、刈取前処理装置及び走行機体に近接した収納姿勢とに自動的に姿勢変更可能になっている。接続杆を左右スライド移動させる駆動手段としては、正逆回転可能な電動モータ及びラック・ピニオン機構が採用されている。その他、油圧シリンダやエアシリンダが用いられることもある。
【特許文献１】実開平５−６７２２９号公報
【発明の開示】
【発明が解決しようとする課題】
【０００５】
しかし、前記従来技術の構成を採用すれば、サイドデバイダが複雑な構造になるし部品点数も多くなるから、コストが嵩む傾向にある。このため、かかる構造のサイドデバイダを、例えば簡易で廉価な小型コンバインに採用するには不向きであり、汎用性に欠けると解される。
【０００６】
そこで、本願発明は、前記従来技術の問題点を解消して、低コストで製作できる簡単な構造のサイドデバイダを備えたコンバインを提供することを第１の技術的課題とするものである。
【０００７】
ところで、コンバインの中には、刈取前処理装置やエンジン等のメンテナンスをし易くするために、刈取前処理装置を走行機体の外側に向けて水平回動可能（すなわち開き回動可能）に構成したものがある。もちろん、この種のコンバインにもサイドデバイダが設けられている。
【０００８】
しかし、この種のコンバインでは、刈取前処理装置が開き回動する側の横一側部にサイドデバイダを配置していることが多いから、サイドデバイダを取り付けたままではその存在が邪魔になり、刈取前処理装置を大きく開き回動させることができない。このため、刈取前処理装置を開き回動させる場合は、その前に刈取前処理装置と前分草杆との連結を一々解除しなければならず、手間がかかって面倒であるという問題があった。
【０００９】
そこで、本願発明は、刈取前処理装置が開き回動可能なコンバインであって、メンテナンス時に着脱する必要のないサイドデバイダを備えたものを提供することを第２の技術的課題とするものである。
【課題を解決するための手段】
【００１０】
この技術的課題を達成するため、請求項１の発明は、走行機体の前部に昇降用アクチュエータにて昇降調節可能に装着された刈取前処理装置と、この刈取前処理装置から前記走行機体にわたる横一側部に設けられたサイドデバイダとを備え、前記走行機体の左前端部に立設した支軸を中心にして刈取前処理装置を水平回動可能に支持しているコンバインにおいて、前記サイドデバイダは、伸縮可能な前分草杆と、後ろ分草杆と、前記走行機体の横一側部に基端部を水平回動可能に枢着した中間リンク杆とを備えた構造であって、前記走行機体の左前部に支持アームを外向きに突出させて固着し、前記支持アームの先端部に前記中間リンク杆の基端部を基端部用枢軸ピンにて回動可能に枢着し、前記中間リンク杆の先端部を、先端部用枢軸ピンにて枢着部材に回動可能に枢着する一方、前記後ろ分草杆の前端部と前分草杆の後端部とを、分草杆用枢軸ピンにて前記枢着部材に回動可能に枢着したものである。
【００１１】
【００１２】
【発明の効果】
【００１３】
本願発明の構成によると、サイドデバイダは簡単な構造でありながら、製造コストの抑制に寄与できるという効果を奏する。
【００１４】
特に、前記サイドデバイダの存在が前記刈取前処理装置の開き回動の邪魔になることはない。従って、前記刈取前処理装置等のメンテナンス時に前記サイドデバイダを一々着脱しなくてもよく、メンテナンス時の作業性を向上できるという効果を奏する。
【発明を実施するための最良の形態】
【００１５】
以下に、本願発明を具体化した実施形態を図面（図１〜図７）に基づいて説明する。図１は本願発明を適用したコンバインの側面図、図２はコンバインの平面図、図３は刈取前処理装置の支持構造を示す概略正面図、図４は一部部材を省略した状態での図３のＩＶ−ＩＶ視側面図、図５はサイドデバイダの平面図、図６は刈取前処理装置を開き回動させたときのサイドデバイダの平面図、図７はデバイダ操作レバーとサイドデバイダとの連動関係を示す説明図である。
【００１６】
（１）．コンバインの概略構造
はじめに、図１及び図２を参照しながら、コンバインの概略構造について説明する。
【００１７】
本実施形態における３条刈り用のコンバインは、左右一対の走行クローラ２，２にて支持された走行機体１を備えている。走行機体１の前部には、穀稈を刈り取りながら取り込む刈取前処理装置３が単動式の油圧シリンダ３０（昇降用アクチュエータ、図４参照）にて昇降調節可能に装着されている。走行機体１には、フィードチェーン５付きの脱穀装置４と、脱穀後の穀粒を貯留するための穀粒タンク６とが横並び状に搭載されている。本実施形態では、脱穀装置４が走行機体１の進行方向左側に、穀粒タンク６が走行機体１の進行方向右側に配置されている。
【００１８】
刈取前処理装置３から走行機体１にわたる横一側部（本実施形態では左側部）にはサイドデバイダ４０が設けられている。サイドデバイダ４０は、刈取作業の際に、前進する走行機体１がその横一側方にある未刈穀稈を巻き込んだり走行クローラ２にて踏み付けたりしないように、未刈穀稈を横方向外向き（走行機体１の横一側部から離れる方向）に押しやるためのものである。
【００１９】
刈取前処理装置３と穀粒タンク６との間には、走行機体１の向き及び速度を変更操作するための操向丸ハンドル９や運転座席１０等を有する運転部８が設けられている。運転座席１０の左側に位置するサイドコラム１８には、サイドデバイダ４０の姿勢を切り替えるための操作手段としてのデバイダ操作レバー１９（図２及び図７参照）が前後傾動可能に設けられている。運転部８の下方には、動力源としてのエンジン１１が配置されており、エンジン１１の前方には、当該エンジン１１からの動力を適宜変速して左右両走行クローラ２，２に伝達するためのミッションケース１２が配置されている。
【００２０】
刈取前処理装置３は、バリカン式の刈刃装置１３、３条分の穀稈引起装置１４、穀稈搬送装置１５及びフロント分草体１６を備えている。刈刃装置１３は、刈取前処理装置３を構成する分草フレーム３３の下方に配置されている。穀稈引起装置１４は分草フレーム３３の上方に配置されている。穀稈搬送装置１５は穀稈引起装置１４とフィードチェーン５の前端部との間に配置されている。フロント分草体１６は穀稈引起装置１４の下部前方に突設されている。刈取前処理装置３にて刈り取りられた刈取穀稈は、フィードチェーン５に受け継ぎ搬送され、脱穀装置４にて脱穀処理される。
【００２１】
脱穀装置４の扱室には、刈取穀稈を脱穀処理するための扱胴１７が内蔵されている。扱胴１７の下方には、扱網やチャフシーブ等による揺動選別を行う揺動選別機構と、唐箕ファンによる風選別を行う風選別機構とが配置されている。これら両選別機構による選別を経て、走行機体１の下部にある一番受け樋に集められた穀粒は、一番コンベヤ及び揚穀コンベヤを介して穀粒タンク６に集積される。藁屑は、脱穀装置４の後部に配置された吸引ファンに吸い込まれたのち、排出口から機外へ排出される。穀粒タンク６内の穀粒は排出オーガ７を介して機外に搬出される。
【００２２】
なお、フィードチェーン５の後端から排稈チェーンに受け継がれた排稈は、長い状態で走行機体１の後方に排出されるか、若しくは排稈カッタにて適宜長さに短く切断されたのち、走行機体１の後方に排出される。
【００２３】
（２）．刈取前処理装置の構造
次に、図３及び図４を参照しながら、刈取前処理装置の構造について説明する。
【００２４】
刈取前処理装置３は、その内部の各装置１３〜１５やエンジン１１等のメンテナンスをし易くするために、機体フレーム２０の左前端部（サイドデバイダ４０に近い部位）に立設した鉛直支軸２１を中心にして水平開閉回動可能に構成されている（図５の二点鎖線状態参照）。
【００２５】
この場合、鉛直支軸２１にはブラケット装置２２が水平回動可能に装着されており、当該ブラケット装置２２に対して、横長の刈取入力パイプ２３がその軸心回りに回動可能な状態で軸支されている。なお、機体フレーム２０とブラケット装置２２における鉛直支軸２１の箇所とには、側面視後傾状の補強部材２４（つっかい軸）が溶接にて固着されている。
【００２６】
刈取入力パイプ２３とブラケット装置２２との先端部（鉛直支軸２１とは反対側の端部）には、鋳鉄製等の軸受け部材２５が設けられている一方、機体フレーム２０の前端部には、刈取前処理装置３が閉じ状態のときに軸受け部材２５の下方に位置する箇所に、上向きに突出した支柱部材２６が立設されている。刈取前処理装置３が閉じ状態のときは、支柱部材２６の上板に軸受け部材２５の底板がボルト締結される。このように軸受け部材２５を支柱部材２６に固定することにより、刈取前処理装置３は閉じ状態に保持される。
【００２７】
刈取入力パイプ２３にはこれと同心姿勢の刈取入力軸３４が内蔵されている。刈取入力軸３４の先端部は刈取入力パイプ２３から外向きに突出している。この突出端部には刈取入力プーリ３５が固着されている。ミッションケース１２の動力伝達軸に固着された伝動プーリ（図示せず）と刈取入力プーリ３５とには、動力伝達用のベルト３６が巻き掛けられている。エンジン１１からミッションケース１２を経由した動力は、ミッションケース１２の動力伝達軸から、プーリ３５及びベルト３６伝動系を介して、刈取入力パイプ２３内の刈取入力軸３４に伝達され、この刈取入力軸３４から刈取前処理装置３の各装置１３〜１５に動力伝達される。
【００２８】
刈取入力パイプ２３の中途部には、これに固着されたギヤボックス２８を介して、前方斜め下向きに延びる刈取フレームとしての縦伝動パイプ２７が取り付けられている。従って、刈取入力パイプ２３と縦伝動パイプ２７とは鉛直支軸２１回りに水平回動可能になっており、且つ、縦伝動パイプ２７は刈取入力パイプ２３を中心にして上下方向に回動可能になっている。
【００２９】
図４に示すように、縦伝動パイプ２７の長手中途部には軸受けリブ２９が下向きに突設されており、この軸受けリブ２９には、油圧シリンダ３０のピストンロッド３０ａが左右横長のピン３１にて連結されている。詳細は図示していないが、油圧シリンダ３０の後端部は機体フレーム２０に対してピンにて回動可能に連結されている。
【００３０】
なお、刈取前処理装置３を開き回動させる場合は、前提の作業として、油圧シリンダ３０と縦伝動パイプ２７とを連結しているピン３１を抜き外すと共に、ミッションケース１２側の伝動プーリ（図示せず）と刈取入力プーリ３５とに巻き掛けているベルト３６を外すことになる。
【００３１】
縦伝動パイプ２７の下端部には、横長の横伝動パイプ３２（図２参照）が設けられている。横伝動パイプ３２には、前向きに突出した複数本の分草フレーム３３が横伝動パイプ３２の長手方向に沿って適宜間隔で並設されている。これら分草フレーム３３の下方にバリカン式の刈刃装置１３が設けられている。各分草フレーム３３の先端部にはフロント分草体１６が突設されている。
【００３２】
また、横伝動パイプ３２には、刈り取り条数に合わせた数（本実施形態では３本）の支持パイプ（図示せず）が前方斜め上向きに延びるように立設されており、各支持パイプの先端部に穀稈引起装置１４が取り付けられている。
【００３３】
（３）．サイドデバイダの構造
次に、図５及び図６を参照しながら、サイドデバイダの詳細構造について説明する。
【００３４】
サイドデバイダ４０は、断面略コ字型の枢着部材４４を介して屈曲可能に連結された前後一対の分草杆４１，４２と、先端部を枢着部材４４に水平回動可能に枢着し、基端部を走行機体１の横一側部に水平回動可能に枢着した中間リンク杆４３とを備えている。
【００３５】
前後両分草杆４１，４２は、中間リンク杆４３を基端部回りに水平回動させることによって、横方向外向きに張り出した作業姿勢（図２及び図５の実線状態参照）と、刈取前処理装置３及び走行機体１に近接した収納姿勢（図２、図５及び図６の二点鎖線状態参照）とに姿勢変更可能に構成されている。
【００３６】
前分草杆４１は、金属パイプ製の筒状杆４５と、この筒状杆４５にスライド可能に挿入した金属製の棒状杆４６とにより、軸方向（長手方向）に伸縮可能に構成されている。筒状杆４５の前端部は、刈取前処理装置３の横一側部に最も近い分草フレーム３３に対して縦向きの枢軸ピン４７にて水平回動可能に枢着されている。一方、筒状杆４５の後端部は、断面略コ字型の枢着部材４４に対して縦向きの枢軸ピン４８にて水平回動可能に枢着されている。
【００３７】
後ろ分草杆４２は金属製で長棒状のものであり、その前端部は、前分草杆４１における棒状杆４６の後端部と共に、共通の枢軸ピン４８にて枢着部材４４に回動可能に枢着されている。後ろ分草杆４２の後端部にはリング部材４９が固定されており、このリング部材４９が走行機体１の横一側部に固定された前後長手のガイドレール５０に被嵌（遊嵌）されている。これにより、後ろ分草杆４２の後端部は、走行機体１の横一側部に前後スライド可能に支持されている。
【００３８】
中間リンク杆４３は、前後の分草杆４１，４２の間にある枢着部材４４と走行機体１の横一側部とをつなぐものであり、その先端部は、棒状杆４６の後端部及び後ろ分草杆４２の前端部と同様に、枢着部材４４に対して縦向きの枢軸ピン５１にて回動可能に枢着されている。
【００３９】
一方、機体フレーム２０の横一側前部（本実施形態では左前部）には、横方向外向きに突出した支持アーム５２が固着されており、この支持アーム５２の先端部に対して、中間リンク杆４３の基端部が縦向きの枢軸ピン５３にて回動可能に枢着されている。
【００４０】
中間リンク杆４３が基端側の枢軸ピン５３を中心にして走行機体１から離れる矢印Ａ方向（図５及び図７参照）に水平回動すると、枢着部材４４の位置が平面視で走行機体１から遠ざかるので、前分草杆４１は、筒状杆４５における前端側の枢軸ピン４７を中心にして走行機体１から離れる方向に水平回動しながら、その全長を短縮させる。後ろ分草杆４２は、枢着部材４４における前分草杆４１と共通の枢軸ピン４８を中心にして、後端側のリング部材４９を走行機体１の前部側に向けてスライド移動させながら水平回動する。
【００４１】
その結果、前後両分草杆４１，４２は、平面視略く字状に屈曲した状態で横方向外向きに張り出した作業姿勢（図２及び図５の実線状態参照）となる。
【００４２】
逆に、中間リンク杆４３が基端側の枢軸ピン５３を中心にして走行機体１に近付く矢印Ｂ方向（図５及び図７参照）に水平回動すると、枢着部材４４の位置が平面視で走行機体１に近付くので、前分草杆４１は、筒状杆４５における前端側の枢軸ピン４７を中心にして走行機体１に近付く方向に水平回動しながら、その全長を伸長させる。後ろ分草杆４２は、枢着部材４４における前分草杆４１と共通の枢軸ピン４８を中心にして、後端側のリング部材４９を走行機体１の後部側に向けてスライド移動させながら水平回動する。
【００４３】
その結果、前後両分草杆４１，４２は、略直線状に並んだ状態で刈取前処理装置３や走行機体１に近接した収納姿勢（図２、図５及び図６の二点鎖線状態参照）に戻る。この場合、前分草杆４１と中間リンク杆４３とは横並び状（並列状）に位置することになる。
【００４４】
また、前後両分草杆４１，４２が収納姿勢のときに、刈取前処理装置３が鉛直支軸２１回りに開き回動すると、中間リンク杆４３及び後ろ分草杆４２の姿勢はそのまま維持されるが、前分草杆４１は、刈取前処理装置３と共にその開き回動方向と同じ矢印Ｃ方向（図６参照）に向けて、枢着部材４４における後ろ分草杆４２と共通の枢軸ピン４８回りに水平回動しながら、その全長を短縮させる。
【００４５】
このため、サイドデバイダ４０の存在が刈取前処理装置３の開き回動の邪魔になることはなく、刈取前処理装置３と前分草杆４１との連結を解除したりしなくても、刈取前処理装置３を大きくスムーズに開き回動できる。
【００４６】
なお、前後両分草杆４１，４２が作業姿勢のときも、刈取前処理装置３が鉛直支軸２１回りに開き回動すれば前分草杆４１は前述と同様の動作を行うので、サイドデバイダ４０の存在が刈取前処理装置３の開き回動の邪魔になることはない。
【００４７】
（４）．操作手段の構成
次に、図７を参照しながら、サイドデバイダの姿勢を切り替えるための操作手段の構成について説明する。
【００４８】
操作手段としてのデバイダ操作レバー１９は、その下端部がサイドコラム１８内の取付ステー６０に対して横向きのレバー軸６１にて前後回動可能に枢着されている。デバイダ操作レバー１９の下端部には、前後に長い板状のデバイダ操作板６２が、デバイダ操作レバー１９と共にレバー軸６１回りに一体回動するように設けられている。
【００４９】
デバイダ操作板６２の一端部は、サイドデバイダ４０の中間リンク杆４３に固着されたＬ字プレート６３の一端部に対して第１操作ワイヤ６４にて連結されている。デバイダ操作板６２の他端部は、中間リンク杆４３におけるＬ字プレート６３の他端部に対して第２操作ワイヤ６５にて連結されている。
【００５０】
Ｌ字プレート６３のコーナ部と機体フレーム２０に固着された支持アーム５２との間には、中間リンク杆４３の姿勢を保持する姿勢保持手段としての切替コイルばね６６が装架されている。
【００５１】
デバイダ操作レバー１９を図７に実線で示す作業位置まで後ろ向き傾動させると、デバイダ操作板６２のレバー軸６１回りの回動により第１操作ワイヤ６４が引っ張られて、Ｌ字プレート６３が中間リンク杆４３を基端側の枢軸ピン５３回りに矢印Ａ方向に向けて水平回動させる。このとき、切替コイルばね６６が支点越えして、中間リンク杆４３を横方向外向きに突出した姿勢に引っ張り付勢し、その結果、前後両分草杆４１，４２を作業姿勢にする。
【００５２】
支点越えした切替コイルばね６６の引っ張り付勢力は、中間リンク杆４３ひいてはサイドデバイダ４０を作業姿勢に維持している。このため、刈取作業時に未刈穀稈がサイドデバイダ４０に当たっても、サイドデバイダ４０が未刈穀稈の押圧力にて収納姿勢に戻ることはない。
【００５３】
デバイダ操作レバー１９を図７に二点鎖線で示す切り位置まで前向き傾動させると、デバイダ操作板６２のレバー軸６１回りの回動により第２操作ワイヤ６５が引っ張られて、Ｌ字プレート６３が中間リンク杆４３を基端側の枢軸ピン５３回りに矢印Ｂ方向に向けて水平回動させる。このときは、切替コイルばね６６が支点越えして、中間リンク杆４３を走行機体１に近接した姿勢に引っ張り付勢し、その結果、前後両分草杆４１，４２を収納姿勢にするのである。
【００５４】
（５）．作用及び効果
以上の構成によると、サイドデバイダ４０は、枢着部材４４を介して屈曲可能に連結された前後一対の分草杆４１，４２と、先端部を枢着部材４４に水平回動可能に枢着し、基端部を走行機体１の横一側部に水平回動可能に枢着した中間リンク杆４３とを備えた簡単な構造でありながら、中間リンク杆４３をその基端部回りに水平回動させるだけで、使用時（刈取作業時）には横方向外向きに張り出した作業姿勢にし、不使用時には刈取前処理装置３及び走行機体１に近接した収納姿勢にできる。
【００５５】
すなわち、作業姿勢と収納姿勢とに簡単に切り替えできるサイドデバイダ４０を低コストで製造でき、ひいては、コンバインの製造コストの抑制に寄与できる。かかる構造のサイドデバイダ４０は、例えば簡易で廉価な小型コンバインに採用するのに好適である。
【００５６】
また、本実施形態のように刈取前処理装置３が開き回動可能な構成である場合は、刈取前処理装置３が開き回動するに際して、前分草杆４１は、刈取前処理装置３と共に矢印Ｃ方向に向けて、枢着部材４４の枢軸ピン４８回りに水平回動しながら、その全長を短縮させるから、サイドデバイダ４０の存在が刈取前処理装置３の開き回動の邪魔になることはない。このため、刈取前処理装置３やエンジン等のメンテナンス時にサイドデバイダ４０を一々着脱しなくてもよく、メンテナンス時の作業性を向上できる。
【００５７】
（６）．その他
本願発明は、前述の実施形態に限らず、様々な態様に具体化できる。例えば分草杆の構造としては、本実施形態のように前分草杆４１を伸縮式にし、後ろ分草杆４２をスライド式にするに限らず、前後両方の分草杆４１，４２を伸縮式にしてもよい。
【００５８】
前分草杆４１をスライド式にすることも可能ではあるが、前分草杆４１と刈取前処理装置３との連結部が後退すると、走行機体１や走行クローラ２に未刈穀稈を巻き込む可能性が高まるので、あまり好ましくない。
【００５９】
その他、各部の構成は図示の実施形態に限定されるものではなく、本発明の趣旨を逸脱しない範囲で種々変更が可能である。
【図面の簡単な説明】
【００６０】
【図１】本願発明を適用したコンバインの側面図である。
【図２】コンバインの平面図である。
【図３】刈取前処理装置の支持構造を示す概略正面図である。
【図４】一部部材を省略した状態での図３のＩＶ−ＩＶ視側面図である。
【図５】サイドデバイダの平面図である。
【図６】刈取前処理装置を開き回動させたときのサイドデバイダの平面図である。
【図７】デバイダ操作レバーとサイドデバイダとの連動関係を示す説明図である。
【符号の説明】
【００６１】
１  走行機体
２  走行クローラ
３  刈取前処理装置
１８  サイドコラム
１９  デバイダ操作レバー
２０  機体フレーム
２１  鉛直支軸
４０  サイドデバイダ
４１  前分草杆
４２  後ろ分草杆
４３  中間リンク杆
４４  枢着部材
４５  筒状杆
４６  棒状杆
４７，４８，５１，５３  枢軸ピン
４９  リング部材
５０  ガイドレール
【図１】
0004822878.tif 000002
【図２】
0004822878.tif 000003
【図３】
0004822878.tif 000004
【図４】
0004822878.tif 000005
【図５】
0004822878.tif 000006
【図６】
0004822878.tif 000007
【図７】
0004822878.tif 000008